(57)【特許請求の範囲】
【請求項１】
表示画面を複数の表示領域に区画し、テレビジョン放送される番組に関する番組情報を対応する表示領域に表示する電子番組情報表示装置であって、
番組情報を取得する番組情報取得手段と、
前記取得された番組情報を保存する保存手段と、
番組情報を表示する表示領域の形状および表示する文字列の大きさに基づいて、その文字列の記述方向を変更するか否かを判定する番組情報表示方法判定手段と、
前記保存された番組情報の文字列を、前記番組情報表示方法判定手段の判定結果に基づき表示領域に表示する表示手段とを備え、
前記番組情報表示方法判定手段は、番組情報を表示する表示領域の形状が縦長か否かを判定する形状判定手段と、
表示領域の形状が縦長と判定されたときに、その表示領域に文字列を横書き１行で表示できるか否かを判定する横書き判定手段とを備えており、
前記番組情報表示方法判定手段は、横書き判定手段によって表示領域に文字列を横書き１行で表示できないと判定したときに、その文字列を縦書き表示に変更することを決定することを特徴とする電子番組情報表示装置。
【請求項２】
前記番組情報表示方法判定手段は、前記文字列の記述方向に応じて、前記番組情報に含まれる番組の種類を示唆または表示する指標の表示位置を変更することを特徴とする請求項１に記載の電子番組情報表示装置。
【請求項３】
前記番組情報表示方法判定手段の判定機能を有効または無効にするユーザからの指示を入力する手段を設けており、
入力手段によって上記判定機能を無効にするとの指示が入力された場合に、前記番組情報表示方法判定手段の判定機能を無効にして、表示手段は、保存された番組情報の文字列の記述方向を変更せずに表示領域に表示することを特徴とする請求項１または２に記載の電子番組情報表示装置。
【発明の詳細な説明】
【技術分野】
【０００１】
本発明は電子番組情報表示装置に係り、特に、テレビ番組の情報を表示する電子番組表(EPG: Electronic Program Guide)の表示方法を改善した電子番組情報表示装置に関する。
【背景技術】
【０００２】
近年、ＢＳ／地上波デジタル放送では、放送番組の情報も、映像音声のデータと共に放送されている。
【０００３】
テレビジョン受信装置と一体または別体の電子番組情報表示装置では、上記の放送番組情報を使用して、テレビジョン画面（表示部：液晶表示装置やブラウン管等）に、この作成された番組情報を表示することにより、ユーザに番組名、放送時間、及び番組内容等を提供することが可能であり、このような機能が、電子番組表（EPG）と呼ばれている。
【０００４】
ＢＳ／地上波デジタル放送の放送局側からは、各放送局で放送される番組の複数日分のデータが送信されているため、ユーザは、前述の電子番組表機能を利用することにより、テレビを視聴しながら、リモコン操作によって、例えば１週間ほど先までの各放送局の番組情報を、テレビ画面に表示させて確認することが可能となる。
【０００５】
しかしながら、一般的な解像度のテレビでは、１週間分全部の情報を１画面に表示することは不可能（たとえ高解像度のテレビであってもフォントなどの情報標識が小さくなってしまい視聴者が容易に視認できる大きさで表示することが困難）であり、１度に表示される番組情報は限られたものとなっている。
【０００６】
このため、限られた表示範囲の中でできるだけ利用し易い番組表を提供するために、各社とも、番組情報の表示のために様々な工夫を行なっている。
【０００７】
従来の電子番組表の表示方法を改善する技術には、例えば、特開平１０−２８２４４公報（特許文献１）に開示される表示装置がある。
【０００８】
この特許文献１においては、各番組情報を所定の長さを有するセル（各表示領域）に割り当てて、これら複数のセルをマトリクス状に配列した電子番組表をモニタに表示する際に、そのセルに表示すべき情報量（文字長、項目数等のデータ量）に応じて、各番組のセルの大きさを変更することによって、長い文字列のタイトルも省略されることなく表示できるようにしている。
【０００９】
その他、電子番組表の表示方法に関する技術には、次のものがある。
【００１０】
すなわち、特開平１０−１３６２７９号公報（特許文献２）では、蓄積した番組情報から番組表を作成する番組表作成手段が、番組表のサイズと情報量により、番組表の表示の縦軸と横軸を入れ替える表示方法を開示している。
【００１１】
また、特開２００２−２４７４７４号公報（特許文献３）では、番組表のサイズと情報量とにより、文字フォント（フォントの大小等）と表示内容（表示項目の多少等）を変更する表示制御装置および方法を開示している。
【００１２】
さらに、特開平１１−１６４２０１号公報（特許文献４）では、番組表のサイズと情報量とにより、文字フォント（フォントの大小等）を変更する表示方法を開示している。
【特許文献１】特開平１０−２８２４４号公報
【特許文献２】特開平１０−１３６２７９号公報
【特許文献３】特開２００２−２４７４７４号公報
【特許文献４】特開平１１−１６４２０１号公報
【発明の開示】
【発明が解決しようとする課題】
【００１３】
しかしながら、上記従来の特許文献１または２の電子番組情報表示技術においては、各番組情報の領域を確保する際に、表示する番組情報の文字数のみから領域のサイズ（面積）を決めるため、書込みの書式に対して不釣合な形や、不必要な大きさの領域が確保されてしまうことがあるという問題点があった。
【００１４】
しかも、表示領域の大きさや形を変更するには番組表全体の表示領域の枠組みを変更する必要が有り、表示制御装置の演算負荷が大きくるので、即時の番組表表示が困難になる問題や、メモリ容量の増大や中央処理ユニットの高速・高性能化を図りコスト上昇の問題が生じる。
【００１５】
図７は、従来の電子番組情報表示装置による電子番組情報表示の１例を示す説明図である。
【００１６】
図７に示す、電子番組情報表示は、縦軸に放送局Ａ，Ｂ，Ｃ，Ｄおよびそれぞれの保有チャンネル（１０１，１０２，１４１〜１４３，１５１〜１５３）を示し、横軸は各放送時間帯を示し、各チャンネルの右に各番組（全国、または地方ニュース、全国または地方天気、スポーツ１，２、映画、音楽を放送時間帯（１３：００から１５：００）毎に配列して示している。
【００１７】
同図に示す電子番組情報の場合、点線で囲った楕円Ｘ内の電子番組情報については、書込みの書式に対して不釣合な形や、不必要な大きさの表示領域が確保されており、表示を、このような領域に無理に適合させようとした結果、文字配列等の書式や表示形態が不適切となっているという問題がある。
【００１８】
図７の示すように、例えば放送局Ｃにおいて１３：００の２つの表示領域には、番組情報として全チャンネル１４１〜１４３で「全国ニュース」と「地方ニュース」という文字列をそれぞれ表示している。その場合に、各表示領域が縦長であって、それらの表示領域に２列×３行の文字列を押し込むように表示しており、表示が不自然であり読みにくいものになっている。
【００１９】
なお、特許文献２の技術では、番組表のサイズと情報量により、表示領域の横軸と縦軸を入れ替えたりするため、上記特許文献１と同様に書込みの書式に対して不釣合な形や、不必要な大きさの領域が確保されてしまう問題と、即時の番組表表示が困難になる問題や、メモリ容量の増大や中央処理ユニットの高速・高性能化を図りコスト上昇の問題とが生じる。
【００２０】
また、特許文献３および４の技術では、番組表のサイズと情報量によって文字フォントの変更などをするのでは、表示領域毎に異なるフォントで表示されてしまい、番組表全体で見て文字がばらばらの印象を与える虞がある。
【００２１】
本発明は、上記従来の問題点に鑑みてなされたものであって、電子番組情報を、画面の各表示領域に表示する際に、表示領域の各々の形状に適合させて文字情報の記述方向を変更することにより、電子番組情報の視認性を向上させ得ると共に、表示体裁が良く、演算負荷が増大しにくい電子番組情報表示装置を提供することを目的としている。
【課題を解決するための手段】
【００２２】
本発明は、上記した課題を解決するため次の構成を有する。
【００２３】
本発明は、表示画面を複数の表示領域に区画し、テレビジョン放送される番組に関する番組情報を対応する表示領域に表示する電子番組情報表示装置であって、番組情報を取得する番組情報取得手段と、前記取得された番組情報を保存する保存手段と、番組情報を表示する表示領域の形状および表示する文字列の大きさに基づいて、その文字列の記述方向を変更するか否かを判定する番組情報表示方法判定手段と、前記保存された番組情報の文字列を、前記番組情報表示方法判定手段の判定結果に基づき表示領域に表示する表示手段とを備え、
前記番組情報表示方法判定手段は、番組情報を表示する表示領域の形状が縦長か否かを判定する形状判定手段と、
表示領域の形状が縦長と判定されたときに、その表示領域に文字列を横書き１行で表示できるか否かを判定する横書き判定手段とを備えており、
前記番組情報表示方法判定手段は、横書き判定手段によって表示領域に文字列を横書き１行で表示できないと判定したときに、その文字列を縦書き表示に変更することを決定することを特徴とする電子番組情報表示装置である。
【００２５】
また、本発明においては、前記番組情報表示方法判定手段は、前記文字列の記述方向に応じて、前記番組情報に含まれる番組の種類を示唆または表示する指標の表示位置を変更するが好適である。
【００２６】
また、本発明においては、前記番組情報表示方法判定手段の判定機能を有効または無効にするユーザからの指示を入力する手段を設けており、入力手段によって上記判定機能を無効にするとの指示が入力された場合に、前記番組情報表示方法判定手段の判定機能を無効にして、表示手段は、保存された番組上方の文字列の記述方向を変更せずに表示領域に表示することが好適である。
【発明の効果】
【００２７】
本発明においては、上記に構成を有することによって、次の作用効果を奏する。
【００２８】
本発明においては、番組情報表示方法判定手段によって、番組情報を表示する表示領域の形状および表示する文字列の大きさに基づいて、その文字列の記述方向を変更するか否かを判定し、表示手段によって前記保存された番組情報の文字列を、前記番組情報表示方法判定手段の判定結果に基づき表示領域に表示する。
【００２９】
したがって、表示領域の形状および文字列の大きさに基づいて、文字列の記述方向を変更するので、表示領域の形状に対応した文字列の記述方向にすることができる。
よって、横書き表示する際に、縦長の領域の場合には、文字フォントを小さくしたり、多数行にしたりすることなく表示できるので、番組表に表示される情報の視認性を向上させることができ、番組情報が読みやすくなる。利用者にとって使い勝手の良い電子番組表を提供することができる。
また、表示領域の形状の変更をすることなく文字列を表示領域に応じて変更するので、番組表全体の体裁が悪くならずかつ演算負荷の増大を防止できる。
【００３０】
また、本発明は、前記番組情報表示方法判定手段が、形状判定手段によって番組情報を表示する表示領域の形状が縦長か否かを判定し、横書き判定手段によって表示領域の形状が縦長と判定されたときに、その表示領域に文字列を横書き１行で表示できるか否かを判定して、この横書き判定手段によって表示領域に文字列を横書き１行で表示できないと判定したときに、その文字列を縦書き表示に変更することを決定する。
【００３１】
この構成により、電子番組情報を、テレビ画面の各表示領域に表示する際に、文字情報の記述方向が、表示領域の各々の形状に適合させて縦書きまたは横書きのいずれかが選択されるので、読み易い番組表示が可能となる。
【００３２】
また、本発明において、前記番組情報表示方法判定手段は、前記文字列の記述方向に応じて、前記番組情報に含まれる番組の種類を示唆または表示する指標の表示位置を変更することが好適である。
【００３３】
このようにすれば、前記判定手段は、前記文字の記述方向に応じて、前記番組情報に含まれる番組の種類を示唆または表示する指標（例えばロゴまたはアイコン）の表示位置を変更できるので、番組情報の文字列だけではなく、指標例えば放送局のロゴや番組内容のアイコンなども、文字の記述方向に適合させて表示することができるので、読み易い番組表示が可能となる。
【００３４】
また、本発明において、前記番組情報表示方法判定手段の判定機能を有効または無効にするユーザからの指示を入力する手段を設け、この入力手段によって上記判定機能を無効にするとの指示が入力された場合に、前記番組情報表示方法判定手段の判定機能を無効にして、表示手段は、保存された番組情報の文字列の記述方向を変更せずに表示領域に表示することができる。
このようにすれば、ユーザからの指示により、番組表示方法を変更することができるようにしているので、ユーザは、自己の嗜好に応じた表示形態を選択することができる。
【発明を実施するための最良の形態】
【００３５】
以下、本発明の電子番組情報表示装置の最良の実施形態について、〔第１の実施形態〕、〔第２の実施形態〕の順に図面を参照して詳細に説明する。
【００３６】
〔第１の実施形態〕
図１は、本発明の第１の実施形態に係る電子番組情報表示装置の全体構成を示す構成図である。
【００３７】
図１に示すように、第１の実施形態に係る電子番組情報表示装置は、表示画面を複数の表示領域に区画し、テレビジョン放送される番組に関する番組情報を対応する表示領域に表示するものであって、番組情報を取得する番組情報取得手段１と、前記取得された番組情報を保存する保存手段２と、番組情報を表示する表示領域の形状および表示する文字列の大きさに基づいて、その文字列の記述方向を変更するか否かを判定する番組情報表示方法判定手段３と、前記保存された番組情報の文字列を、前記番組情報表示方法判定手段３の判定結果に基づき表示領域に表示する表示手段４とを備えている。
【００３８】
上記電子番組情報表示装置の機能について、各構成要素毎に説明する。
【００３９】
番組情報取得手段１は、有線または無線によって外部から伝達されるテレビジョン放送から番組情報を取得すると共に、ユーザにより指定された番組情報の出力を行なう。
【００４０】
番組情報取得手段１における番組情報の取得は、通常は、テレビジョンの放送波を受信して（チューナー部等から受信信号を入力し）、この放送波により伝達される電子番組情報を取得するものである。その他、コンパクトディスク（ＣＤ）やデジタルビデオディスク（ＤＶＤ）等の記録媒体に記録された番組情報を番組情報取得手段１によって取得することができる。
【００４１】
番組情報保存手段２は、番組情報取得手段１から出力された番組情報の保存を行なう。この保存は、読み書き可能な記録媒体（内蔵型または外付け型のハードディスクドライブ、メモリや、フレキシブディスク、ＣＤ、ＤＶＤ等）を各種のものを用いることができる。
【００４２】
番組情報表示方法判定手段３は、番組情報を表示する表示領域の形状および表示する文字列の大きさに基づいて、その文字列の記述方向を変更するか否かを判定する。この場合、番組情報を表示するにあたり、縦書きで表示するのか、横書きで表示するのかを表示領域の形状（領域の縦・横の大きさも加味する）および表示する文字数に応じて決定する。
【００４３】
すなわち、前記番組情報表示方法判定手段３は、番組情報を表示する表示領域の形状が縦長か否かを判定する形状判定手段３ａと、表示領域の形状が縦長と判定されたときに、その表示領域に文字列を横書き１行で表示できるか否かを判定する横書き判定手段３ｂとを備えており、前記番組情報表示方法判定手段３は、横書き判定手段３ｂによって表示領域に文字列を横書き１行で表示できないと判定したときに、その文字列を縦書き表示に変更することを決定する。
【００４４】
具体的には、文字の大きさ（フォントのポイント数等）および文字間隔を変更しない場合、文字列の大きさ（列方向長さ）は文字数に応じたものになる。文字の大きさが表示領域によって異なる場合には、文字列の大きさはポイント数を考慮して判断する。また、表示領域の形状は、矩形の升形状を呈して区画されており、正方形で無ければ横長か縦長の形状になっている。
【００４５】
なお、前記番組情報表示方法判定手段３は、前記文字列の記述方向に応じて、前記番組情報に含まれる番組の種類を示唆または表示する文字、図形、記号等のロゴやアイコン等の指標の表示位置を変更する。
【００４６】
番組情報表示手段４は、前記保存された番組情報の文字列を、前記番組情報表示方法判定手段３の判定結果に基づき表示領域に表示できるようにテレビジョン表示部等、外部の表示部に出力する。
具体的には、番組情報表示方法判定手段３で判定した表示方法に基づいて番組表を作成し、外部のテレビジョン画面等のモニタ装置に、番組情報出力データとして出力する。
【００４７】
図２は、第１の実施形態に係る電子番組情報表示装置において、番組情報表示方法判定手段３によって番組情報の表示方向を判定する際の処理手順を示すフローチャートである。各処理手順のステップは「Ｓ」と略記する。
【００４８】
図２に示すフローチャートにおいては、まず、番組情報を表示する領域が縦長か否かを判定する（Ｓ１）。
【００４９】
表示領域が縦長でない場合（Ｓ１：Ｎｏ）には、番組情報表示手段４に対して、番組情報を横書きで表示すべきことを指示し（Ｓ２）、処理を終了する（エンド）。
【００５０】
一方、前記領域が縦長の場合（Ｓ１：Ｙｅｓ）には、表示する番組情報が前記領域内に１行以内で表示できるか否かを判定する（Ｓ３）。
【００５１】
表示する番組情報が前記領域内に１行以内で表示できる場合には（Ｓ３：Ｙｅｓ）、上記のＳ２に移り、番組情報表示手段４に対して、横書き表示を指示し（Ｓ２）、処理を終了する（エンド）。一方、表示する番組情報が前記領域内に１行以内では表示できない場合には（Ｓ３：Ｎｏ）、番組情報表示手段４に対して、番組情報を縦書きで表示すべきことを指示し（Ｓ４）、処理を終了する（エンド）。番組情報表示手段４は、文字列が例えば６列×１行の横書き表示であったものを、１列×６行の縦書き表示に変換する。
【００５２】
この第１の実施形態では、図２に示すフローチャートのＳ３にて、表示する番組情報が前記領域内で１行以内で表示できる場合には横書きすべき場合と判定したが、他の判定方法として、表示領域が縦長ならば文字列の長さを考慮せずに無条件で縦書きすべき場合であると判定するようにしてもよい。
【００５３】
図３は、本発明の第１の実施形態に係る電子番組情報表示装置による電子番組情報表示の１例を示す説明図である。同図に示す電子番組情報表示の１例は、図７に示す従来の電子番組情報表示の１例に対応するものである。
【００５４】
図７に示す従来の電子番組情報表示の１例では、破線Ｘで囲まれた部分は、全国ニュースと地方ニュースの表示が２列×３行で表示されている。これに対して、図３に示すように、本実施形態においての電子番組情報表示では、この部分（図中、破線Ｘ１で囲む部分）を、１列×６行で表示する。すなわち、縦方向１列で６文字を並べた縦書き表示しており、従来の２列×３行に比較して縦書き１列×６行の表示によって単語または短文として読みくだすことが容易にでき、文字配列等の書式や表示形態が極めて適切となっている。
【００５５】
図４は、本発明の第１の実施形態に係る電子番組情報表示装置による電子番組情報表示の他の１例を示す説明図である。同図に示す電子番組情報表示の１例も、図７に示す従来の電子番組情報表示の１例に対応するものである。
【００５６】
同図に示すように、本実施形態に係る電子番組情報表示装置によれば、文字の表示方向だけでなく、番組の種類を示す指標のロゴの表示位置も、文字の表示方向に応じて変えることができる。この表示方法によれば、図中、破線Ｘ２で囲む部分に示すように、ＡおよびＢの領域に余裕ができるので、従来の電子番組情報表示方法に比べ、さらに多くの情報を表示することが可能になる。
したがって、番組表に表示される情報の視認性を向上させることができ、番組情報が読みやすくなる。利用者にとって使い勝手の良い電子番組表を提供することができる。
【００５７】
〔第２の実施形態〕
図５は、本発明の第２の実施形態に係る電子番組情報表示装置の全体構成を示す構成図である。
【００５８】
同図に示すように、第２の実施形態の電子番組情報表示装置は、上記第１の実施形態の番組情報取得手段１、番組情報保存手段２、番組情報表示方法判定手段３、および番組情報表示手段４の構成に加えて、前記番組情報表示方法判定手段３の判定機能を有効または無効にするユーザからの指示を入力する入力Ｉ／Ｆ（インターフェイス）手段５を設けているものである。
この入力Ｉ／Ｆ手段５によって上記判定機能を無効にするとの指示が入力された場合に、前記番組情報表示方法判定手段３の判定機能を無効にして、番組情報表示手段４は、保存された番組情報の文字列の記述方向を変更せずに表示領域に表示するものである。
【００５９】
入力Ｉ／Ｆ手段５は、ユーザから入力された表示方向判定機能を有効にするか無効にするかの指示信号を入力し、番組情報表示方法判定手段３に伝達する。
番組情報表示方法判定手段３は、このユーザの指示に基づいて、判定機能を有効にするか、それとも無効にするかを選択する。
【００６０】
番組情報表示方法判定手段３の前述の機能を無効にすることが、ユーザからの指示によって選択された場合は、番組情報保存手段２から読み出された番組情報は、無条件で横書きで表示される。
また、上記機能を有効にすることがユーザの指示によって選択された場合は、番組情報保存手段２から読み出された番組情報は、縦書きまたは横書きで適切に表示される。
【００６１】
図６は、第２の実施形態に係る電子番組情報表示装置において、番組情報表示方法判定手段３によって番組情報の表示方向を判定する際の処理手順を示すフローチャートである。各処理手順のステップは「Ｓ」と略記する。
【００６２】
図６に示すフローチャートにおいては、まず、入力Ｉ／Ｆ手段５から、表示方向判定機能を有効にする旨の指示が通知されたか否かを判断する（Ｓ２１）。
【００６３】
入力Ｉ／Ｆ手段５から、表示方向判定機能を有効にする旨の指示が通知されている場合は（Ｓ２１：Ｙｅｓ）、番組情報を表示する領域が縦長か否かを判定する（Ｓ２２）。
【００６４】
Ｓ２２の判定の結果、領域が縦長でない場合には（Ｓ２２：Ｎｏ）、番組情報表示手段４に対して、番組情報を横書きで表示すべきことを指示し（Ｓ２３）、処理を終了する（エンド）。
【００６５】
入力Ｉ／Ｆ手段５から、表示方向判定機能を無効にする旨の指示が通知されている場合は（Ｓ２１：Ｎｏ）、そのままステップＳ２３に進み、番組情報表示手段４に対して、番組情報を横書きで表示すべきことを指示し（Ｓ２３）、処理を終了する（エンド）。
【００６６】
Ｓ２２の判定の結果、前記領域が縦長の場合は（Ｓ２２：Ｙｅｓ）、表示する番組情報が前記領域内に１行以内で表示できるか否かを判定する（Ｓ２４）。
【００６７】
Ｓ２４の判定の結果、表示する番組情報が前記領域内に１行以内で表示できる場合には（Ｓ２４：Ｙｅｓ）、上記Ｓ２３に移り、横書き表示の指示をして処理を終了する。
【００６８】
一方、表示する番組情報が前記領域内に１行以内では表示できない場合は、番組情報表示手段４に対して、番組情報を縦書きで表示すべきことを指示し（Ｓ２５）、処理を終了する。
【００６９】
この実施形態では、図６に示すように、フローチャートのＳ２４にて、表示する番組情報が前記領域内で１行以内で表示できる場合には横書きすべき場合と判定したが、他の判定方法として、表示領域が縦長ならば文字列の長さを考慮せずに無条件で縦書きすべき場合であると判定するようにしてもよい。
【００７０】
なお、この実施形態では、番組情報表示方法判定手段３の前述の機能を無効にすることが、ユーザからの指示によって選択された場合は、番組情報保存手段２から読み出された番組情報を、無条件で横書き表示されるものとした。本発明では、このようにユーザからの指示は、番組情報表示方法判定手段３の前述の機能を無効にするものだけとは限られず、番組情報表示方法判定手段３の判定基準など判定方法の内容を指示するものとしてもよい。
【００７１】
この第２の実施形態によれば、ユーザは、指示入力によって、本発明の第１の実施形態に係る電子番組情報表示装置で構成される表示機能と同様の効果を得ることも、また、無効にすることも可能となる効果がある。
【００７２】
本発明に係る電子番組情報表示装置の各構成要素の処理の少なくとも一部をコンピュータ制御により実行するものとし、かつ、上記処理を、図２，６のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【図面の簡単な説明】
【００７３】
【図１】本発明の第１の実施形態に係る電子番組情報表示装置の全体構成を示すブロック図である。
【図２】図１の電子番組情報表示装置において、番組情報の表示方向を判定する際の処理手順を示すフローチャートである。
【図３】図１の電子番組情報表示装置による電子番組情報表示の１例を示す説明図である。
【図４】図１の電子番組情報表示装置による電子番組情報表示の他の１例を示す説明図である。
【図５】本発明の第２の実施形態に係る電子番組情報表示装置の全体構成を示すブロック図である。
【図６】図５の電子番組情報表示装置において、番組情報の表示方向を判定する際の処理手順を示すフローチャートである。
【図７】従来の電子番組情報表示装置による電子番組情報表示の１例を示す説明図である。
【符号の説明】
【００７４】
１  番組情報取得手段
２  番組情報保存手段
３  番組情報表示方法判定手段
３ａ  形状判定手段
３ｂ  横書き判定手段
４  番組情報表示手段
５  入力Ｉ／Ｆ手段
【図１】
0004606267.tif 000002
【図２】
0004606267.tif 000003
【図３】
0004606267.tif 000004
【図４】
0004606267.tif 000005
【図５】
0004606267.tif 000006
【図６】
0004606267.tif 000007
【図７】
0004606267.tif 000008